(57)【要約】      （修正有）【課題】様々な径の内視鏡挿入部の先端に容易に装着でき、装着した状態でも鼻腔に挿入できる内視鏡フード用テープ及び内視鏡フード用テープを装着した内視鏡を提供する。【解決手段】内視鏡の挿入部先端部に設けられた外径６ｍｍ以内の筒状先端部に対して第１の所定間隔分突出する状態で着脱可能に装着される内視鏡フード用テープ２０であって、長尺細長のテープ形状をなし、前記長尺細長の基体を形成するベース層２１と、該ベース層２１の片面に積層形成され、前記内視鏡の先端部に粘着するための粘着層２２と、を含み、前記粘着層２２は、前記ベース層２１の長尺の一側縁から１ｍｍから３ｍｍの前記第１の所定間隔をあけて形成されている。【選択図】図２
0003225348.tif 000002
【実用新案登録請求の範囲】
【請求項１】
内視鏡の挿入部先端に設けられた外径６ｍｍ以内の筒状の先端部に対して第１の所定間隔分突出する状態で着脱可能に装着する内視鏡フード用テープであって、
長尺細長のテープ形状をなし、
前記長尺細長の基体を形成するベース層と、
該ベース層の片面に積層形成され、前記内視鏡の先端部に粘着するための粘着層と、
を含み、
前記粘着層は、前記ベース層の長尺の一側縁から１ｍｍから３ｍｍの前記第１の所定間隔をあけて形成されていることを特徴とする内視鏡フード用テープ。
【請求項２】
請求項１に記載の内視鏡フード用テープであって、
前記粘着層が設けられたテープ片面には、前記一側縁から第２の所定間隔をあけて長手方向に、前記先端部への装着位置の目印となるマーカーが付されていることを特徴とする内視鏡フード用テープ。
【請求項３】
請求項２に記載の内視鏡フード用テープであって、
前記マーカーは、前記ベース層及び又は前記粘着層と異なる色の線により形成されていることを特徴とする内視鏡フード用テープ。
【請求項４】
請求項２に記載の内視鏡フード用テープであって、
前記テープ片面が少なくとも２以上に彩色され、
前記マーカーは、該彩色された色の境界により形成されていることを特徴とする内視鏡フード用テープ。
【請求項５】
請求項２に記載の内視鏡フード用テープであって、
前記ベース層と前記粘着層に異なる彩色がされ、
前記マーカーは、該彩色された色の境界により形成されていることを特徴とする内視鏡フード用テープ。
【請求項６】
請求項１〜５の何れかに記載の内視鏡フード用テープであって、
前記ベース層は黒色に彩色されていることを特徴とする内視鏡フード用テープ。
【請求項７】
請求項１〜５の何れかに記載の内視鏡フード用テープであって、
前記ベース層は、透明又は半透明とされていることを特徴とする内視鏡フード用テープ。
【請求項８】
請求項１〜５の何れかに記載の内視鏡フード用テープであって、
前記ベース層は、フッ素樹脂により構成されていることを特徴とする内視鏡フード用テープ。
【請求項９】
請求項１〜８の何れかに記載の内視鏡フード用テープであって、
前記粘着層を覆い且つ該粘着層から剥離可能な長尺細長形状の剥離シートが設けられることを特徴とする内視鏡フード用テープ。
【請求項１０】
請求項９に記載の内視鏡フード用テープであって、
前記剥離シートには、長手方向及び／又は短手方向に切れ目が形成されていることを特徴とする内視鏡フード用テープ。
【請求項１１】
請求項１〜１０のいずれかに記載の内視鏡フード用テープであって、
前記ベース層と前記粘着層との粘着力が、前記内視鏡の先端部と前記粘着層との粘着力より大きくなるように、前記粘着層の凝集力を設定することを特徴とする内視鏡フード用テープ。
【請求項１２】
請求項１〜１１のいずれかに記載の内視鏡フード用テープであって、
前記内視鏡フード用テープの長手方向の長さが、前記内視鏡の筒状の先端部の外周に巻き付けたときに１周から１．５周以内の長さとなるように形成されていることを特徴とする内視鏡フード用テープ。
【請求項１３】
内視鏡の挿入部先端に設けられた外径６ｍｍ以内の筒状の先端部に対して第１の所定間隔分突出する状態で着脱可能に装着する内視鏡フード用テープであって、
前記テープの基体を形成する矩形形状のベース層と、
該ベース層の片面に積層形成され、前記内視鏡の先端部に粘着するための粘着層と、
を含み、
前記粘着層は、前記ベース層の矩形一側縁から１ｍｍ〜３ｍｍの前記第１の所定間隔をあけて形成され、
前記内視鏡フード用テープの長手方向の長さが、前記内視鏡の筒状の先端部の外周に巻き付けたときに１周〜１．５周以内の長さとなるように形成されていることを特徴とする内視鏡フード用テープ。
【請求項１４】
内視鏡の挿入部先端に設けられた筒状の先端部に請求項１〜１３のいずれかに記載の内視鏡フード用テープが装着されたことを特徴とする内視鏡。
【考案の詳細な説明】
【技術分野】
【０００１】
本考案は、内視鏡の挿入部先端に装着する内視鏡フード用テープ及び内視鏡フード用テープを装着した内視鏡に関する。
【背景技術】
【０００２】
内視鏡の種類としては、大別して、口腔から体内に挿入して使用される経口内視鏡と、鼻腔から体内に挿入して使用される経鼻内視鏡が挙げられる。
経口内視鏡は、体内に挿入される長尺状の挿入部の直径が１０ｍｍ程度と比較的径が大きく、口腔から体内に挿入する際に舌や喉に触れて咽頭反射を起こすことが多く、被検者に苦痛を与えるという課題がある。
これに対し、経鼻内視鏡は、挿入部の直径が５ｍｍ程度と径が小さく、鼻腔から体内に挿入することが可能な為、挿入時に舌や喉を刺激することが少なく、咽頭反射を起こしにくいので、被検者の苦痛を軽減することができる。
【０００３】
ところで、内視鏡を用いた施術においては、内視鏡挿入部の先端付近の良好な視野と作業スペースとを確保するために、内視鏡挿入部の先端に内視鏡フードを装着して使用することが提案されている。
特に、経鼻内視鏡においては、上述のように挿入部の径が小さい為、内視鏡先端のレンズと内視鏡の外縁との距離が近く、粘膜に内視鏡の外縁が接触すると粘膜が覆いかぶさるようになり視野を失いやすい為、内視鏡フードを用いて視野の確保をするのが望ましい。
しかしながら、内視鏡フードは、内視鏡挿入部の先端に当該先端部を覆うようにして装着されるものであるため、その径は内視鏡挿入部の径よりも大きいものとならざるを得ない。
そのため、内視鏡フードを内視鏡挿入部の先端に装着すると、内視鏡挿入部先端の径が当該内視鏡フードの肉厚分だけ拡大してしまうため、経鼻内視鏡のように内視鏡挿入部自体の径が小さくても、内視鏡フードを装着した状態で鼻腔を通過させることが困難である。
【０００４】
このような課題を解決するものとして、例えば特許文献１に記載された発明のように、経鼻内視鏡を鼻腔から挿入し、内視鏡フードを口腔から挿入することにより、それぞれ別々に体内に挿入して、体内で経鼻内視鏡と内視鏡フードを装着するものも提案されている。この内視鏡フードは、内視鏡フードの内側に配置され弾性素材からなる挿入部先端保持部に流体を封入して膨張させることにより内視鏡先端を押圧保持することにより装着する。
【先行技術文献】
【特許文献】
【０００５】
【特許文献１】特開２０１４−１８３９２６号公報
【考案の概要】
【考案が解決しようとする課題】
【０００６】
しかしながら、特許文献１に記載の内視鏡フードは、経鼻内視鏡と内視鏡フードを体内で装着しなければならない為、被検者に時間的、身体的負担をかけるといった課題や、経鼻内視鏡と内視鏡フードとの装着が困難であるという課題があった。
また、特許文献１に記載の内視鏡フードは、挿入部先端保持部を膨張させて内視鏡挿入部の先端を保持することにより、多少の径の異なる内視鏡挿入部についても装着が可能であるが、予め設定された内視鏡フードの内径よりも内視鏡挿入部の径が大きい場合には使用できないという課題もあった。
【０００７】
本考案は、このような状況に鑑みてなされたものであり、内視鏡挿入部の先端に容易に装着でき、装着した状態でも鼻腔に挿入でき、様々な径の内視鏡にも装着できる内視鏡フード用テープ及び内視鏡フード用テープを装着した内視鏡を提供することを目的とする。
【課題を解決するための手段】
【０００８】
前記目的を達成するため、本考案は、内視鏡の挿入部先端に設けられた外径６ｍｍ以内の筒状の先端部に対して第１の所定間隔分突出する状態で着脱可能に装着する内視鏡フード用テープであって、長尺細長のテープ形状をなし、前記長尺細長の基体を形成するベース層と、該ベース層の片面に積層形成され、前記内視鏡の先端部に粘着するための粘着層と、を含み、前記粘着層は、前記ベース層の長尺の一側縁から１ｍｍから３ｍｍの前記第１の所定間隔をあけて形成されていることを第１の特徴とする。
【０００９】
また、本考案は、前記第１の特徴の内視鏡フード用テープであって、前記粘着層が設けられたテープ片面には、前記一側縁から第２の所定間隔をあけて長手方向に、前記先端部への装着位置の目印となるマーカーが付されていることを第２の特徴とする。
【００１０】
また、本考案は、前記第２の特徴の内視鏡フード用テープであって、前記マーカーは、前記ベース層及び又は前記粘着層と異なる色の線により形成されていることを第３の特徴とする。
【００１１】
また、本考案は、前記第２の特徴の内視鏡フード用テープであって、前記テープ片面が少なくとも２以上に彩色され、前記マーカーは、該彩色された色の境界により形成されていることを第４の特徴とする。
【００１２】
また、本考案は、前記第２の特徴の内視鏡フード用テープであって、前記ベース層と前記粘着層に異なる彩色がされ、前記マーカーは、該彩色された色の境界により形成されていることを第５の特徴とする。
【００１３】
また、本考案は、前記第１〜５の何れかの特徴の内視鏡フード用テープであって、前記ベース層は黒色に彩色されていることを第６の特徴とする。
【００１４】
また、本考案は、前記第１〜５の何れかの特徴の内視鏡フード用テープであって、前記ベース層は、透明又は半透明とされていることを第７の特徴とする。
【００１５】
また、本考案は、前記第１〜５の何れかの特徴の内視鏡フード用テープであって、前記ベース層は、フッ素樹脂により構成されていることを第８の特徴とする。
【００１６】
また、本考案は、前記第１〜８の何れかの特徴内視鏡フード用テープであって、前記粘着層を覆い且つ該粘着層から剥離可能な長尺細長形状の剥離シートが設けられることを第９の特徴とする。
特徴とする。
【００１７】
また、本考案は、前記第９の特徴の内視鏡フード用テープであって、前記剥離シートには、長手方向及び又は短手方向に切れ目が形成されていることを第１０の特徴とする。
【００１８】
また、本考案は、前記第１〜１０の何れかの特徴の内視鏡フード用テープであって、前記ベース層と前記粘着層との粘着力が、前記内視鏡の先端部と前記粘着層との粘着力より大きくなるように、前記粘着層の凝集力を設定することを第１１の特徴とし、前記１〜１１のいずれかに記載の内視鏡フード用テープであって、前記内視鏡フード用テープの長手方向の長さが、前記内視鏡の筒状の先端部の外周に巻き付けたときに１周から１．５周以内の長さとなるように形成されていることを第１２の特徴とする。
【００１９】
また、本考案は、内視鏡の挿入部先端に設けられた外径６ｍｍ以内の筒状の先端部に対して第１の所定間隔分突出する状態で着脱可能に装着する内視鏡フード用テープであって、前記テープの基体を形成する矩形形状のベース層と、該ベース層の片面に積層形成され、前記内視鏡の先端部に粘着するための粘着層と、を含み、前記粘着層は、前記ベース層の矩形一側縁から１ｍｍ〜３ｍｍの前記第１の所定間隔をあけて形成され、前記内視鏡フード用テープの長手方向の長さが、前記内視鏡の筒状の先端部の外周に巻き付けたときに１周〜１．５周以内の長さとなるように形成されていることを第１３の特徴とする。
【００２０】
また、本考案は、内視鏡の挿入部先端に設けられた筒状の先端部に前記第１〜１３のいずれかの特徴の内視鏡フード用テープが装着された内視鏡であることを第１４の特徴とする。
【考案の効果】
【００２１】
本考案による内視鏡フード用テープ及び内視鏡フード用テープが装着された内視鏡は、長尺細長のテープ形状をなし、前記長尺細長の基体を形成するベース層と、該ベース層の片面に積層形成され、前記内視鏡の先端部に粘着するための粘着層と、を含み、前記粘着層は、前記ベース層の長尺の一側縁から１ｍｍから３ｍｍの第１の所定間隔をあけて形成されていることにより、テープ形状を巻きつけるだけで内視鏡挿入部の先端に容易に装着できると共に、様々な径の内視鏡にも装着でき、またテープ形状のため薄く、装着した状態でも鼻腔に挿入できる。
また、本考案による内視鏡は、上記内視鏡フード用テープを先端に装着したものであるため、内視鏡フード用テープを装着した状態であっても先端部が大径にならず、鼻腔に挿入することができる。
【図面の簡単な説明】
【００２２】
【図１】本考案の第１実施例による内視鏡フード用テープを装着した状態の内視鏡先端の拡大図。
【図２】第１実施例による内視鏡フード用テープを装着した状態の内視鏡先端の拡大断面図。
【図３】第１及び第２実施例による内視鏡フード用テープの拡大平面図。
【図４】図３のＡ−Ａ線拡大断面図。
【図５】第１実施例及び参考例の剥離シートを説明する図。
【図６】第１実施例による内視鏡フード用テープの装着を説明する図。
【図７】前記実施例による内視鏡フード用テープを装着した内視鏡及び内視鏡システムを説明する図。
【考案を実施するための形態】
【実施例１】
【００２３】
[内視鏡フード用テープが装着される内視鏡及び内視鏡システムの説明]
本実施例の内視鏡フード用テープが装着脱される内視鏡システム１は、図７に示すように、内視鏡２と、光源装置３と、ビデオ装置４と、モニタ５と、から主に構成されている。  
【００２４】
前記内視鏡２は、鼻腔から体内に挿入して使用される経鼻内視鏡であって、直径５〜６ｍｍの長尺細長な筒状の挿入部９と、操作部１０と、電気ケーブルであるケーブル１３と、を有して構成されている。内視鏡２の挿入部９は、先端から順に先端部６と、湾曲部７と、可撓管部８と、を有して構成されている。図１及び図１の断面を表す図２に示すように、挿入部９の先端部６の先端面には、観察孔１９に配置される光ファイバ１８と接続される観察光学系の先端である観察レンズ１４と、２つの照明光学系の表面である照明レンズ１５と、鉗子等の処置具を挿通する為の処置具挿通孔１７の開口部と、観察レンズ１４へ向けて送気送水するための送気送水ノズル１６と、が配設されている。
【００２５】
前記内視鏡２の操作部１０は、ユーザによる把持、操作を行う為のものであり、挿入部９の湾曲部７を湾曲操作するための湾曲操作ノブ１２が回動自在に配設されると共に、各種内視鏡機能のスイッチ類などが設けられている。また、操作部１０の先端側には、挿入部９に配設された各種処置具を挿通する処置具挿通孔１７の操作部側開口部となる処置具導入口１１が設けられている。
【００２６】
前記操作部１０から延設されたケーブル１３は、延出端に光源装置３と着脱自在とされる。なお、本実施の形態の内視鏡２は、ケーブル１３、操作部１０および挿入部９に配設された照明手段のライトガイドファイバ（図示せず）によって、光源装置３から先端部６まで照明光を伝送するものである。
【００２７】
前記ビデオ装置４は、内視鏡画像を表示するモニタ５と電気的に接続され、観察レンズを通して撮影された情報を処理してモニタ５に出力する。なお、内視鏡システム１は、図示しないが、内視鏡２の挿入部９の先端部６から空気および水を噴出する送気送水機能が光源装置３に設けられている。
【００２８】
［内視鏡フード用テープの説明］
次に、本実施の形態の内視鏡フード用テープ２０について説明する。図１に示すように、内視鏡フード用テープ２０は、長尺細長のテープ形状であって、内視鏡２の先端部６に巻きつけて装着するものであり、先端部６の先端側延長線上に１ｍｍ〜３ｍｍ程度突出するように装着される。また、内視鏡フード用テープ２０は、少なくとも先端部６に１周以上巻き付けられる長さがあれば良いが、内視鏡フード用テープ２０の巻き付け径が大きくなって鼻腔を通過できなくなる事を防止する為、先端部６に１周〜１周半程度巻きつける長さとするのが好ましい。
なお、内視鏡フード用テープ２０は、使用前には長尺テープ状に巻成されており、使用の都度、装着する内視鏡の先端部の様々な径に合わせた長さに切って使用することができる。
【００２９】
また、内視鏡フード用テープ２０は、図３（ａ）、図３（ａ）のＡ−Ａ断面を表す図４に示すように、テープ状の長尺細長の基体を形成するベース層２１と、ベース層２１の表面と内視鏡２の先端部６とを粘着するための粘着材料からなる粘着層２２とを積層して形成されることにより、粘着層２２が設けられたテープ片面が粘着面を形成する。このベース層２１と粘着層２２を合わせた厚さＬ１は、装着したときの巻き付け径を太くしないため薄厚とし、好ましくは１ｍｍ以下とする。
【００３０】
ベース層２１は、内視鏡２からの照明光を反射し難く良好な視界を得られるようにする為、少なくとも後述の第１の所定間隔を黒色、透明、半透明等の反射し難い色とする。本実施例においては、ベース層２１は、カーボンブラックと酸化チタンを配合した黒色不透明の着色ポリウレタン（又は、一般的な高分子の、塩化ビニル、エチレンビニルアセタートコポリマー、ポリスチレン等でも良い）から構成し、好ましくは硬度を４０Ｄ〜８０Ａ程度とする。
ベース層２１の一側縁４１は、内視鏡２の先端部６に取り付けたときに体内器官を傷つけないように、エッジＲを熱処理、溶解、研磨などにより面取り加工している。
【００３１】
粘着層２２は、低分子のポリウレタン等からなり、ベース層２１の長尺の一側縁４１（先端部６に装着したときに先端側となる側縁）から第１の所定間隔、本実施例においては、内視鏡２の先端部６に装着したときに、先端部６より突出する長さである約１ｍｍ〜３ｍｍあけてベース層２１の片面（内視鏡２の先端部６に巻き付けられたときに内側になる面）に配置される。
また、ベース２１層と粘着層２２との粘着力が、内視鏡２の先端部６と粘着層２２との粘着力より大きくなるように、粘着層２２の凝集力を設定することにより、使用後、先端部６から剥離したときに、先端部６に粘着層２２が残らない、すなわち粘着層２２による糊残りがしない。
【００３２】
内視鏡フード用テープ２０の粘着層２２が配置された側のテープ片面（先端部６に粘着する内側の粘着面）には、長尺の一側縁４１から第２の所定間隔（本実施例においては１ｍｍ〜３ｍｍ）をあけて、ベース層２１及び又は粘着層２２と異なる色の線を長手方向に描いて形成されたマーカー２３が付されている。このマーカー２３は、内視鏡２の先端部６に装着するときの位置を決定するための目印となる。
なお、前記第１の所定間隔と前記第２の所定間隔を異なる間隔（例えば、第１の所定間隔を１ｍｍ、第２の所定間隔を２ｍｍとしたり、第１の所定間隔を２ｍｍ、第の所定間隔を１ｍｍとするなど）にしてもよいが、本実施例のように、第１の所定間隔と第２の所定間隔とを同間隔とすることにより、ベース層２１と粘着層２２との境界にマーカー２３を付して、マーカー２３の位置に合わせて先端部６に装着したときに、内視鏡フード用テープ２０の先端部６から突出する部分の全てが粘着しないようにするのが最も好ましい。
また、本実施例においては、マーカー２３を１本の線としたが、これに限られず、例えば、１ｍｍごとに複数本マーカー２３を形成するようにしても良い。
【００３３】
また、内視鏡フード用テープ２０は、図４に示すように少なくとも粘着層２２を覆う剥離可能な剥離シート２５で覆われており、使用前に粘着層２２が他の箇所に粘着しない様になっている。そして、剥離シート２５は内視鏡フード用テープ２０内視鏡２の先端部６に装着するときに剥離される。
なお、剥離シート２５は、切れ目のないシート状に形成しても良いが、図５（ａ）に示すように、剥離シート２５の短手方向に切れ目２５ａ（本実施例においては、４本とするが、１本以上あれば良い）を入れることにより、切れ目２５ａに沿って一部剥離でき、粘着層２２を一部露出させることができる。そして、その状態で、粘着層２２の一部露出した部分を先端部６へ粘着し、その後剥離シート２５の他の部分を剥離して装着すると、内視鏡フード用テープ２０の先端部６に対する位置決め及び装着がし易い。
【００３４】
また、本実施例においては、切れ目２５ａを短手方向に形成する例を説明したが、これに限られず、長手方向に形成しても良い。
さらに、剥離シート２５は、少なくとも粘着層２２を覆うとしたが、内視鏡フードテープ２０全体を覆う場合は、剥離シート２５を透明にするか、剥離シートにも内視鏡フード用テープと同様にマーカーを形成すると、視鏡フード用テープ２０の先端部６に対する位置決めがし易い。
また、本実施例においては、剥離シート２５を設ける例を示したが、これに限られず、例えば、一般のビニールテープのように、剥離シートを設けずに、使用前には、テープ表面に粘着面を粘着させて巻成するようにしても良い。
【００３５】
[内視鏡フード用テープ２０の使用方法]
次に、図６を参照して、内視鏡フード用テープ２０の内視鏡２の先端部６への装着例を説明する。
まず、医師や看護師等が、内視鏡フード用テープ２０から剥離シート２５の切れ目２５ａ間を一部剥離する。
そして、図６（ａ）に示すように、内視鏡フード用テープ２０に付されたマーカー２３に先端部６の縁の一部を当て、位置決めをする。
その後、剥離シート２５の切れ目２５ａから片側を剥離し、図６（ｂ）に示すように、内視鏡フード用テープ２０の片側から巻き付け、図６（ｃ）に示すように反対側も剥離シート２５を剥離し、巻きつけて装着する。
なお、本実施例においては、内視鏡フード用テープの中央近辺から装着したが、これに限られず、マーカー２３を目印に端から装着しても良く、また、本実施例においては、剥離シート２５を一部剥離してから装着することとしたが、これに限られず、全部剥離してから装着しても良い。
【００３６】
本実施例によれば、上述したように、内視鏡フード用テープ２０のベース層２１と粘着層２２を合わせた厚さＬ１を薄厚としたことにより、内視鏡２の先端部６に装着した際に、巻き付け径が大径となることが無い為、内視鏡フード用テープ２０を装着した状態で、内視鏡２の挿入部９を鼻腔に挿入することができる。
また、フード用テープ２０のベース層２１を黒色不透明としたことにより、内視鏡２からの照明光を反射することがなく、良好な視界を得られる。
さらに、内視鏡フード用テープ２０の内側面に、内視鏡２の先端部６に装着するときの目印となるマーカー２３が付されていることにより、装着するときの位置決めが容易である。
また、粘着層２２をベース層２１の長尺端部から第１の所定間隔をあけて形成したことにより、先端部６から突出する部分の先端から所定間隔は粘着しない為、内視鏡フード用テープ２０が先端部６の先端面等に粘着してしまうことがない。
【００３７】
なお、本実施例においては、内視鏡フード用テープ２０を長尺細長のテープ形状に形成したが、これに限られず、矩形形状（長方形・正方形含む）に形成すると共に、本実施例の「長尺の一側縁」を「矩形一側縁」と読み替えて構成しても良い。
【実施例２】
【００３８】
次に、内視鏡フード用テープ２０の他の実施例を説明する。
第１実施例においては、内視鏡２の先端部６に装着するときの位置を決定するための目印として、内視鏡フード用テープ２０の粘着層２２が配置された側のテープ片面（先端部６に粘着する内側面）に、線を描いて形成したマーカーを付す例を説明したが、これに限られず、内視鏡フード用テープ２０の粘着層２２が配置された側のテープ片面に少なくとも２以上の異なる彩色を施し、この彩色された色の境界により、マーカーを形成するようにしても良い。
この彩色例は、例えば、図３（ｂ）に示すように、ベース層２１と、粘着層２２に異なる彩色を施し、その色の境界となる境界線４０によりマーカーを形成しても良い。また、粘着層２２を透明として、ベース層２１の色を、ベース層２１の長尺端部の一側縁４１から第２の所定間隔（約１ｍｍ〜３ｍｍ）あけて２以上の彩色することによりマーカーを形成するようにしても良く、粘着層２２に２以上の彩色をしてその境界でマーカーを形成するようにしても良い。
なお、マーカー以外の部分については、第１実施例と同様な為、説明を省略する。
【実施例３】
【００３９】
次に、内視鏡フード用テープの他の実施例を説明する。
前述の各実施例においては、ベース層をポリウレタン等から構成する例を説明したが、これに限られず、ベース層をフッ素樹脂により構成し、粘着層をフッ素樹脂に対して粘着性を有する粘着材料により構成してもよい。このように構成した内視鏡用テープフードは、フッ素樹脂が潤滑性・耐熱性・抗破損性に優れて、且つ無害であることから、体内に内視鏡を挿入した際に滑り易く、医療機器用として好適である。
なお、フッ素樹脂は接合が難しい為、ベース層に表面処理を施してからフッ素樹脂に対しても高粘着性をもつ難接着用接着剤を塗布して粘着層を形成しても良く、また、例えば、株式会社フロント工販が販売している商品名「ＦＲＯＮＴ＃１０１」のような難接着用接着剤が両面に塗布された両面テープを粘着層として用いても良い。この「ＦＲＯＮＴ＃１０１」は、難接着用の特殊合成樹脂が原材料で、溶剤が含まれず、耐水性・耐塩水性があり、温度−１０〜＋５０度、耐毒性・毒性なし・吸水性なしの特性をもち、医療用として好適である。
なお、その他の部分については、前述の実施例と同様な為、説明を省略する。
【００４０】
[参考例]
次に、内視鏡フード用テープ２０を覆う剥離シートの他の参考例を説明する。
この参考例は、図５（ｂ）に示すように、剥離シート３０は、内視鏡フード用テープ２０の全体を覆うように長尺長細形状に形成され、その長尺端部の一側縁から所定間隔、本参考例においては、約１ｍｍごとに複数本の線を長手方向に描いて形成したマーカー３０ｂと、マーカー３０ｂに沿って形成された切れ目３０ａを有する。
【００４１】
このように剥離シート３０を形成することにより、内視鏡２の先端部６に装着するときに、先端部６からの突出量に合わせ、例えば、先端部６からの突出量を２ｍｍとした場合には、長尺端部の一側縁から２番目の切れ目３０ａ以降を剥離して先端部６に装着することによって、先端部６から突出する部分が剥離シート３０で覆われたままになる為、内視鏡フード用テープが内視鏡の先端面等に粘着してしまうことがない。
【００４２】
なお、本参考例の剥離シート３０を適用する内視鏡フード用テープは、ベース層の全面に粘着層を形成しても良い。また前述の実施例の内視鏡フード用テープ２０に本参考例の剥離シート３０を用いる場合は、内視鏡フード用テープの粘着層が配置されていない部分については剥離シート３０を設けないとしたり、内視鏡フード用テープの粘着層が配置されていない部分については剥離シート３０を切れ目３０ａに沿って剥離するようにしても良い。
【符号の説明】
【００４３】
１  内視鏡システム、２  内視鏡、６  先端部、２０  内視鏡フード用テープ、２１  ベース層、２２  粘着層、２３  マーカー、２５  剥離シート、２５ａ  切れ目、４１  側縁、
【図１】
0003225348.tif 000003
【図２】
0003225348.tif 000004
【図３】
0003225348.tif 000005
【図４】
0003225348.tif 000006
【図５】
0003225348.tif 000007
【図６】
0003225348.tif 000008
【図７】
0003225348.tif 000009